(57)【要約】  【課題】  通電時間の経過とともに変動する受信信号レベルに対応するように予設定される局検出感度レベルを設定変更することにより最適な状態でオートミュートを行うことを可能にしたＦＭチューナを提供する。  【解決手段】  受信中のＦＭ信号の受信信号レベルが設定した局検出感度レベル以下に低下したとき、受信信号の受信状態をミュートさせるオートミュート機能を有し、局検出感度レベルとして少なくとも第１の局検出感度レベルとそれよりも低レベルの第２の局検出感度レベルとに設定可能なＦＭチューナで、ＦＭチューナへの通電開始した時点に、選択した放送チャネルの信号を受信したときに設定する局検出感度レベルを第１の局検出感度レベルに初期設定し、当該放送チャネルの信号を受信して短時間が経過した後、設定する局検出感度レベルを第２の局検出感度レベルに設定変更させる。  【選択図】  図１
2005159759.tif 000002
【特許請求の範囲】
【請求項１】
受信しているＦＭ信号の受信信号レベルが設定した局検出感度レベル以上のレベルが得られたとき、自動選局中の信号を受信状態にオートストップさせるオートチューニング機能と設定した局検出感度レベル以下に低下したとき、受信中の信号の出力を停止させるオートミュート機能を有し、局検出感度レベルとして少なくとも第１の局検出感度レベルと前記第１の局検出感度レベルよりも低レベルの第２の局検出感度レベルとに設定することが可能なＦＭチューナであって、ＦＭチューナへの通電開始した時点に、選択した放送チャネルの信号を受信したときに設定する局検出感度レベルを前記第１の局検出感度レベルに初期設定し、当該放送チャネルの信号を受信して短時間が経過したあと、設定する局検出感度レベルを前記第１の局検出感度レベルから前記第２の局検出感度レベルに設定変更させることを特徴とするＦＭチューナ。
【請求項２】
前記設定される局検出感度レベルは、局検出感度切替回路が保持している少なくとも２つ以上の局検出感度レベルを制御部の制御によってその中の１つの局検出感度レベルに切替えることにより設定されることを特徴とする請求項１に記載のＦＭチューナ。
【発明の詳細な説明】
【技術分野】
【０００１】
本発明は、自動選局中のＦＭ放送の受信信号レベルとＦＭチューナに既設定されている局検出感度レベルとを比較し、受信信号レベルが局検出感度レベルよりも高いとき、選局中の信号を受信状態にオートストップさせ、良好な受信信号レベルのＦＭ放送にオートチューニングするＦＭチューナに係り、特に、通電時間が経過するとともに劣化する局検出感度に対応できるように、受信中にオートミュートさせる局検出感度レベルを設定変更するようにしたＦＭチューナに関する。
【背景技術】
【０００２】
近年、ＦＭチューナにおいては、受信中のＦＭ放送の受信状態が既設定されている局検出感度レベル（ＳＤレベル）を用いて監視しているもので、受信中のＦＭ放送の受信信号レベル、通常、受信信号の電界強度を表すシグナルメーター（Ｓメーター）出力と、局検出感度レベルとを常時比較し、受信信号レベルが局検出感度レベルよりも低下したとき、受信中のＦＭ放送の受信状態をミュートする、具体的には受信したＦＭ放送のオーディオ出力を停止させる機能を備えたものが多用されるようになっている。
【０００３】
ところで、オートチューニング機能を備えたＦＭチューナは、受信中のＦＭ放送の受信状態が突然悪化したとき、その受信状態の悪化に伴って発生する不快なオーディオ雑音の聴取をしないで済むというものであるが、受信中のＦＭ放送の受信状態が突然悪化したようなときは、再生されているオーディオ音量が比較的大きかった状態から突然無音状態に変化するため、その変化時に聴取者にとって違和感を感じることがある。
【０００４】
そこで、このようなオートチューニング機能を備えたＦＭチューナにおける違和感の発生を回避するため、受信中のＦＭ放送の受信状態が悪化したときに、直ちに再生されているオーディオ音量を停止させずに、受信中のＦＭ放送の受信状態の悪化により再生されているオーディオ音量がある時間継続して小さくなったときだけ、再生されているオーディオ音量を無音状態に変化させるようにして、聴取者が感じる違和感をできるだけなくすようにしたＦＭチューナも既に提案されており、その一例として、特開平０７−３３６２５４号公報に開示されたＦＭチューナを挙げることができる。
【０００５】
前記特開平０７−３３６２５４号公報に開示されたＦＭチューナは、受信中のＦＭ放送の受信状態が悪化したことを検出すると、その検出が行われた後直ちに再生されているオーディオ音量を無音状態に変化させずに、時間計測手段を用いて時間計測を開始し、ＦＭ放送の受信状態の悪化が持続している間その時間計測を継続し、時間計測手段の時間計測値が所定値に達したときに、再生されているオーディオ音量を無音状態に変化させるようにするもので、時間計測手段による時間計測が所定値に達しないとき、ＦＭ放送の受信状態が良好になれば、時間計測手段で計測された時間計測値をリセットし、再生されているオーディオ音量を無音状態に変化させないようにしているもので、ＦＭ放送の受信状態の悪化が持続し、時間計測手段の時間計測値が所定値に達したときになって、再生されているオーディオ音量を無音状態に変化させるようにしている。
【０００６】
ここで、図４は、特開平０７−３３６２５４号公報に開示されたＦＭチューナの構成を示すもので、その要部を表す概要図である。
【０００７】
図４に示されるように、このＦＭチューナは、高周波増幅段（ＲＦ・Ａ）４１と、受信アンテナ４１（１）と、周波数混合段（ＭＩＸ）４２と、位相制御ループ（ＰＬＬ）４３と、中間周波増幅段（ＩＦ・Ａ）４４と、ＦＭ検波段（ＦＭＤＥＴ）４５と、ステレオ復調段４６と、ミュート回路４７と、局検出部（受信局検出部）４８と、レベル検出部４９と、システム制御部５０と、検波レベル検出部５１と、カウンタ（時間計測手段）５２とを備えている。そして、これらの各部４１乃至５２は、図４に図示されるように相互接続されている。
【０００８】
前記構成を有するＦＭチューナは、概略、次のように動作する。
【０００９】
受信アンテナ４１（１）を通してＦＭ放送が受信されると、高周波増幅段４１がその受信信号を増幅し、周波数混合段４２に供給する。このとき、周波数混合段４２には、位相制御ループ４３が形成した選局用局部発振信号が供給され、受信信号と局部発振信号とを周波数混合し、周波数混合信号を中間周波増幅段４４に供給する。中間周波増幅段４４は、供給された周波数混合信号の中からそれらの差周波数となる中間周波信号を選択的に増幅する。ＦＭ検波段４５は、増幅した中間周波信号をＦＭ検波し、検波信号をステレオ復調段４６に供給する。ステレオ復調段４６は、検波信号をステレオ復調し、得られたステレオ信号をミュート回路４７に供給する。
【００１０】
また、局検出部４８は、中間周波信号及び検波信号から受信すべき局を検出し、検出出力をシステム制御部５０に供給する。レベル検出部４９は、中間周波信号から信号レベルの検出を行い、検出出力をシステム制御部５０に供給する。さらに、検波レベル検出部５１は、検波信号が所定のしきい値より大きい場合にリセット信号を発生し、このリセット信号をカウンタ５２に供給する。カウンタ５２は、局検出部４８の検出出力及びレベル検出部４９の検出出力に基づいて受信中のＦＭ放送の受信状態が悪化したと判断したときにカウントを開始し、そのカウントは、受信中のＦＭ放送の受信状態が改善されない限り持続され、そのカウント値が所定値に達したとき、システム制御部５０を通してミュート回路４７にミュートオン信号を供給してミュート回路４７の出力を遮断し、再生されているオーディオ音量を無音状態に変化させる。
【００１１】
一般に、特開平０７−３３６２５４号公報に開示されたＦＭチューナを始めとする多くのＦＭチューナは、受信中のＦＭ放送の受信状態が悪化したことを、受信中のＦＭ放送の受信信号レベルとＦＭチューナに予設定されている局検出感度レベルとを比較し、受信信号レベルが局検出感度レベルよりも低下したとき、受信状態が悪化したものと判断するようにしているが、このときＦＭチューナに予設定されている局検出感度レベルは、再生しているオーディオ出力を明瞭に聴取できる最低レベルに設定されている。そして、かかる局検出感度レベルは、ＦＭチューナの製造メーカーによってその設定仕様が多少異なっているだけでなく、ＦＭチューナの出荷調整時に若干の範囲内で調整されるものの、ＦＭチューナがユーザーに渡った後、その設定を変更することはできないものである。
【００１２】
この点に関連して、最近になり、ＦＭチューナにおける局検出感度レベルとして複数レベルのものを定め、その複数レベルの局検出感度レベルの中から１つの局検出感度レベルを選択的に切替設定できるようにしたＦＭチューナが提案されている。この種のＦＭチューナは、出荷調整時等において、複数レベルの局検出感度レベルの中からそのＦＭチューナに最適と考えられる１つの局検出感度レベルを選択し、当該ＦＭチューナの局検出感度レベルを選択した１つの局検出感度レベルに切替設定しているもので、それによりＦＭチューナが使用される環境に対応して、複数レベルの中の１つの局検出感度レベルに設定することが可能になるものである。
【００１３】
ところで、ＦＭチューナは、スイッチオンされた通電直後のセット温度と、通電してから数１０分以上が経過したときのセット温度とを比べたとき、通常の動作状態時に、前者の温度に比べて後者の温度が上昇するようになり、それに伴って、受信中のＦＭ放送の受信信号の電界強度が同じであっても、その電界強度を表すシグナルメーター出力は、通電直後の値に比べて通電時間の経過とともに僅かづつ減少して行く傾向にある。
【００１４】
このため、既知のＦＭチューナにおいては、予設定されている局検出感度レベルが通電時間に係わりなく不変であるのに対し、受信中のＦＭ放送の受信信号レベルが通電直後に比較的大きく、通電時間の経過とともに僅かづつ減少して行くことから、通電時間の経過によって、比較される局検出感度レベルと受信信号レベルの差が順次小さくなるだけでなく、一定時間以上が経過すると、受信中のＦＭ放送の受信信号レベルが局検出感度レベル以下になってしまい、その後、受信中のＦＭ放送の電界強度が所定以上の強さを維持しているにも係わらず、受信中の信号の受信状態がオートミュート状態になるという好ましくない事態になる場合がある。
【特許文献１】特開平０７−３３６２５４号公報
【発明の開示】
【発明が解決しようとする課題】
【００１５】
本発明は、このような技術的背景に鑑みてなされたもので、その目的は、通電時間の経過とともに変動する受信中のＦＭ放送の受信信号レベルに対応するように、予設定されている局検出感度レベルを設定変更することにより、最適な状態でオートミュートを行うことを可能にしたＦＭチューナを提供することにある。
【課題を解決するための手段】
【００１６】
前記目的を達成するために、本発明によるＦＭチューナは、受信しているＦＭ信号の受信信号レベルが設定した局検出感度レベル以下に低下したとき、受信中の信号の受信状態をミュートさせるオートミュート機能を有し、局検出感度レベルとして少なくとも第１の局検出感度レベルと前記第１の局検出感度レベルよりも低レベルの第２の局検出感度レベルとに設定することが可能なＦＭチューナであって、ＦＭチューナへの通電開始した時点に、選択した放送チャネルの信号を受信したときに設定する局検出感度レベルを前記第１の局検出感度レベルに初期設定し、当該放送チャネルの信号を受信して短時間が経過したあと、設定する局検出感度レベルを前記第１の局検出感度レベルから前記第２の局検出感度レベルに設定変更させるようにした手段を備える。
【００１７】
前記手段の設定される局検出感度レベルは、局検出感度切替回路が保持している少なくとも２つ以上の局検出感度レベルを制御部の制御によってその中の１つの局検出感度レベルに切替えることにより設定される構成を具備している。
【発明の効果】
【００１８】
本発明によれば、ＦＭチューナにおいて、少なくとも第１の局検出感度レベルとそれより低レベルの第２の局検出感度レベルに選択的に設定可能な局検出感度切替回路を用い、ＦＭチューナへの通電開始した時点に、選択した放送チャネルの信号を受信したときに、予設定される局検出感度レベルを高い方の第１の局検出感度レベルに初期設定し、当該放送チャネルの信号を受信して短時間が経過したあと、予設定される局検出感度レベルを第１の局検出感度レベルからそれより低い第２の局検出感度レベルに設定変更するようにしているので、通電時間が経過するに従って生じるセットの温度上昇により、受信信号レベルが順次僅かづつ減少したとしても、局検出感度レベルが受信直後の局検出感度レベルよりも低い局検出感度レベルに設定変更されているので、受信中の信号の受信状態がミュート状態になることなく、有効なオートミュート機能を維持させることができるという効果がある。
【発明を実施するための最良の形態】
【００１９】
本発明によるＦＭチューナは、受信しているＦＭ信号の受信信号レベルが設定した局検出感度レベル以下に低下したとき、受信中の信号の受信状態をミュートさせるオートミュート機能を有し、局検出感度レベルとして少なくとも第１の局検出感度レベルと前記第１の局検出感度レベルよりも低レベルの第２の局検出感度レベルとに設定することが可能なＦＭチューナにおいて、ＦＭチューナへの通電開始した時点に、選択した放送チャネルの信号を受信したときに設定する局検出感度レベルを前記第１の局検出感度レベルになるように初期設定し、当該放送チャネルの信号を受信して短時間が経過したあと、設定する局検出感度レベルを前記第１の局検出感度レベルから前記第２の局検出感度レベルになるように設定変更させる手段を具備しているものである。
【実施例１】
【００２０】
図１は、本発明によるＦＭチューナの実施例を示すもので、その要部構成を示すブロック図である。
【００２１】
図１に示されるように、本実施例によるＦＭチューナは、高周波増幅段（ＲＦ・Ａ）１と、受信アンテナ１（１）と、周波数混合段（ＭＩＸ）２と、位相制御ループ（ＰＬＬ）３と、中間周波増幅段（ＩＦ・Ａ）４と、ＦＭ検波段（ＦＭＤＥＴ）５と、ステレオ復調段６と、ミュート回路７と、シグナルメーター出力部（Ｓメーター出力部）８と、制御部９とを備えている。
【００２２】
そして、高周波増幅段１は、入力端が受信アンテナ１（１）に接続され、出力端が周波数混合段２の第１入力端に接続される。周波数混合段２は、第２入力端が位相制御ループ３の出力端に接続され、出力端が中間周波増幅段４の入力端に接続される。中間周波増幅段４は、出力端がＦＭ検波段５の入力端とシグナルメーター出力部８の入力端にそれぞれ接続される。ＦＭ検波段５は、出力端がステレオ復調段６の入力端に接続される。ステレオ復調段６は、左信号出力端及び右信号出力端がそれぞれミュート回路７の左信号入力端及び右信号入力端に接続される。ミュート回路７は、左信号出力端及び右信号出力端がそれぞれ対応する信号出力端子（記号番号なし）に接続される。制御部９は、入力端がシグナルメーター出力部８の出力端に接続され、第１制御出力端が位相制御ループ３の制御端に接続され、第２制御出力端がミュート回路７の制御端に接続される。
【００２３】
次いで、図２は、図１に図示された実施例における制御部９の内部構成の一例を示す要部構成図である。
【００２４】
図２に示されるように、制御部９は、電圧比較器（ＣＯＭＰ）１０と、局検出感度設定部（ＳＤ設定）１１と、入力端１２と、第１制御出力端１３（１）と、第２制御出力端１３（２）とからなっている。また、局検出感度設定部１１は、最も高い電圧を発生する第１電圧レベル発生器１１（１）と、２番目に高い電圧を発生する第２電圧レベル発生器１１（２）と、３番目に高い電圧を発生する第３電圧レベル発生器１１（３）と、最も低い電圧を発生する第４電圧レベル発生器１１（４）と、電圧レベル切替部１１（５）とからなっている。
【００２５】
そして、電圧比較器１０は、第１入力端が入力端１２に接続され、第２入力端が電圧レベル切替部１１（５）の可動部に接続され、第１出力端が第１制御出力端１３（１）に接続され、第２出力端が第２制御出力端１３（２）に接続される。局検出感度設定部１１は、第１電圧レベル発生器１１（１）が電圧レベル切替スイッチ１１（５）の第１固定接点と接地点間に接続され、第２電圧レベル発生器１１（２）が電圧レベル切替部１１（５）の第２固定接点と接地点間に接続され、第３電圧レベル発生器１１（３）が電圧レベル切替スイッチ１１（５）の第３固定接点と接地点間に接続され、第４電圧レベル発生器１１（４）が電圧レベル切替スイッチ１１（５）の第４固定接点と接地点間に接続される。この場合、第１電圧レベル発生器１１（１）、第２電圧レベル発生器１１（２）、第３電圧レベル発生器１１（３）、第４電圧レベル発生器１１（４）は、それぞれ直流電源の形で表され、電圧レベル切替部１１（５）は、スイッチの形で表されているが、実際には、これらの構成部分は、デジタル回路で構成えるもので、その一例として、電圧レベル切替部１１（５）が選択的に２値コードを発生すると、その２値コードに対応した電圧レベル発生器からデジタル信号が出力され、そのデジタル信号がアナログ信号に変換されて電圧比較器１０に供給されるものである。
【００２６】
前記構成を備えたＦＭチューナは、概略、次のように動作する。
【００２７】
始めに、ＦＭチューナに電源が投入されたことまたはオートチューニングが終了し選局が完了したことを検知すると、制御部９は、局検出感度設定部１１の局検出感度設定部１１の電圧レベル切替部１１（５）を制御し、高いレベルの電圧を出力する電圧レベル発生器、例えば、第１電圧レベル発生器１１（１）に切替設定し、第１電圧レベル発生器１１（１）から出力される電圧を局検出感度レベルとして電圧比較器１０に供給する。
【００２８】
この後、電源供給時点またはオートチューニングが終了し選局が完了してから短時間、例えば、１秒以内実際は数百ミリ秒の時間が経過したことを検知すると、制御部９は、局検出感度設定部１１の局検出感度設定部１１の電圧レベル切替部１１（５）を再び制御し、第１電圧レベル発生器１１（１）よりも低いレベルの電圧を出力する電圧レベル発生器、例えば、第３電圧レベル発生器１１（３）に切替設定し、第１電圧レベル発生器１１（３）から出力される電圧を局検出感度レベルとして電圧比較器１０に供給する。
【００２９】
このような時点に、受信アンテナ１（１）を通してＦＭ放送が受信されると、高周波増幅段１がその受信信号を増幅して周波数混合段２に供給し、同時に、位相制御ループ３が形成した選局用局部発振信号が周波数混合２に供給される。周波数混合２は、それぞれ供給された受信信号と局部発振信号とを周波数混合し、周波数混合信号を中間周波増幅段４に供給する。中間周波増幅段４は、供給された周波数混合信号の中からそれらの差周波数となる中間周波信号を選択的に増幅し、増幅した中間周波信号をＦＭ検波段５及びシグナルメーター出力部８に供給する。ＦＭ検波段５は、増幅した中間周波信号をＦＭ検波し、その検波信号をステレオ復調段６に供給する。ステレオ復調段６は、供給された検波信号をステレオ復調して左信号と右信号とからなるステレオ信号を形成し、そのステレオ信号をミュート回路７に供給する。
【００３０】
また、シグナルメーター出力部８は、供給された中間周波信号から受信信号の電界強度を表すシグナルメーター出力を形成し、形成したシグナルメーター出力を制御部９に供給する。制御部９は、供給されたシグナルメーター出力とその時点に局検出感度設定部１１から供給された局検出感度レベルとを電圧比較器１０で比較し、シグナルメーター出力が局検出感度レベルよりも大きいことを検出した場合、電圧比較器１０から第１制御出力端１３（１）にミュートオン信号が、第１制御出力端１３（２）にオートチューニング信号がそれぞれ供給されないので、それまで受信していたＦＭ放送をそのままの状態で受信が続行される。
【００３１】
一方、制御部９は、供給されたシグナルメーター出力とその時点に局検出感度設定部１１から供給された局検出感度レベルとを電圧比較器１０で比較し、シグナルメーター出力が局検出感度レベルよりも小さくなったことを検出した場合、電圧比較器１０から第１制御出力端１３（１）にミュートオン信号が供給され、同時に、第１制御出力端１３（２）にオートチューニング信号が供給される。これにより、それまで受信していたＦＭ放送の再生が停止され、他の良好な受信信号レベルのＦＭ放送の受信にオートチューニングされる。
【００３２】
ここで、図３は、本実施例によるＦＭチューナにおける局検出感度レベルの設定変更の状態を示す説明図である。
【００３３】
図３において、縦軸は局検出感度レベル（ＳＤ設定レベル）であり、横軸は通電時間である。
【００３４】
図３に示されるように、本実施例によれば、ＦＭチューナへの通電開始及びオートチューニング時点ｔ0 においては局検出感度レベルが高いレベルＶH に初期設定され、通電時点ｔ0 から短時間ｔを経過した後の時点ｔ1 になったとき、局検出感度レベルが高いレベルＶH から低いレベルＶL に設定変更される。このため、もし、局検出感度レベルが高いレベルＶH に設定された状態に維持されていれば、受信信号レベルＳが通電時間の経過とともに順次僅かづつ減少した場合、通電時間ｔ2 になったとき、受信信号レベルＳがＡ点で局検出感度レベルにおける高いレベルＶH に到達し、それ以後、受信信号レベルＳが局検出感度レベルにおける高いレベルＶH 以下になってしまい、ＦＭチューナがミュート状態に維持されるようになる。これに対して、本実施例のように、時点ｔ1 になったとき、局検出感度レベルが高いレベルＶH から低いレベルＶL に設定変更されれば、受信信号レベルＳが通電時間の経過とともに順次僅かづつ減少した場合であっても、受信信号レベルＳが局検出感度レベルにおける低いレベルＶL に到達することがなく、それによりＦＭチューナがミュート状態になることを防げる。
【実施例２】
【００３５】
なお、前記実施例においては、局検出感度設定部１１における電圧レベル発生器の数を４つ設けている例を示すものであるが、本発明の局検出感度設定部１１に設けられる電圧レベル発生器の数は４つである場合に限られるものではなく、２つ設けたもの、３つ設けたもの、または５つ設けたものであってもよいことは勿論である。
【図面の簡単な説明】
【００３６】
【図１】本発明によるＦＭチューナの実施例を示すもので、その要部構成を示すブロック図である。
【図２】図１に図示された実施例における制御部の内部構成の一例を示す要部構成図である。
【図３】本実施例によるＦＭチューナにおける局検出感度レベルの設定変更の状態を示す説明図である。
【図４】既知のＦＭチューナの構成を示すもので、その要部を表す概要図である。
【符号の説明】
【００３７】
１  高周波増幅段（ＲＦ・Ａ）
１（１）  受信アンテナ
２  周波数混合段（ＭＩＸ）
３  位相制御ループ（ＰＬＬ）
４  中間周波増幅段（ＩＦ・Ａ）
５  ＦＭ検波段（ＦＭＤＥＴ）
６  ステレオ復調段
７  ミュート回路
８  シグナルメーター出力部（Ｓメーター出力部）
９  制御部
１０  電圧比較器（ＣＯＭＰ）
１１  局検出感度設定部（ＳＤ設定）
１１（１）  第１電圧レベル発生器
１１（２）  第２電圧レベル発生器
１１（３）  第３電圧レベル発生器
１１（４）  第４電圧レベル発生器
１１（５）  電圧レベル切替部
１２  入力端
１３（１）  第１制御出力端
１３（２）  第２制御出力端
【図１】
2005159759.tif 000003
【図２】
2005159759.tif 000004
【図３】
2005159759.tif 000005
【図４】
2005159759.tif 000006